(57)【特許請求の範囲】
【請求項１】
ファン装置と、
前記ファン装置に一端部が接続され、他端部が蓋部材によって閉塞される筒状体と
から成り、
前記筒状体は、一方向に向かって拡径するコイルばねの両端にフランジを取り付けた伸縮可能な複数の筒状体本体と、前記筒状体本体の前記コイルばねに巻き付けられる通気性を有する脱臭シートとを備え、
前記筒状体は、前記蓋部材に向かって拡径するようにそれぞれ外径の異なる前記複数の筒状体本体を連結することによって構成されている
ことを特徴とする脱臭装置。
【請求項２】
ファン装置と、
前記ファン装置に一端部が接続され、他端部が蓋部材によって閉塞される筒状体と
から成り、
前記筒状体は、一方向に向かって拡径するコイルばねの両端にフランジを取り付けた伸縮可能な複数の筒状体本体と、前記筒状体本体の前記コイルばねを覆う通気性を有する脱臭シートから成る筒状の脱臭体とを備え、
前記筒状体は、前記蓋部材に向かって拡径するようにそれぞれ外径の異なる前記複数の筒状体本体を連結することによって構成されている
ことを特徴とする脱臭装置。
【請求項３】
ファン装置と、
前記ファン装置に一端部が接続され、他端部が蓋部材によって閉塞される筒状体と
から成り、
前記筒状体は、一方向に向かって縮径するコイルばねの両端にフランジを取り付けた伸縮可能な複数の筒状体本体と、前記筒状体本体の前記コイルばねに巻き付けられる通気性を有する脱臭シートとを備え、
前記筒状体は、前記蓋部材に向かって縮径するようにそれぞれ外径の異なる前記複数の筒状体本体を連結することによって構成されている
ことを特徴とする脱臭装置。
【請求項４】
ファン装置と、
前記ファン装置に一端部が接続され、他端部が蓋部材によって閉塞される筒状体と
から成り、
前記筒状体は、一方向に向かって縮径するコイルばねの両端にフランジを取り付けた伸縮可能な複数の筒状体本体と、前記筒状体本体の前記コイルばねを覆う通気性を有する脱臭シートから成る筒状の脱臭体とを備え、
前記筒状体は、前記蓋部材に向かって縮径するようにそれぞれ外径の異なる前記複数の筒状体本体を連結することによって構成されている
ことを特徴とする脱臭装置。
【請求項５】
ファン装置と、
前記ファン装置に一端部が接続され、他端部が蓋部材によって閉塞される筒状体と
から成り、
前記筒状体は、外径の異なるコイルばねの両端にフランジを取り付けた伸縮可能な複数の筒状体本体と、前記筒状体本体の前記コイルばねに巻き付けられる通気性を有する脱臭シートとを備え、
前記筒状体は、それぞれ外径の異なる前記複数の筒状体本体を連結することによって構成されている
ことを特徴とする脱臭装置。
【請求項６】
ファン装置と、
前記ファン装置に一端部が接続され、他端部が蓋部材によって閉塞される筒状体と
から成り、
前記筒状体は、外径の異なるコイルばねの両端にフランジを取り付けた伸縮可能な複数の筒状体本体と、前記筒状体本体の前記コイルばねを覆う通気性を有する脱臭シートから成る筒状の脱臭体とを備え、
前記筒状体は、それぞれ外径の異なる前記複数の筒状体本体を連結することによって構成されている
ことを特徴とする脱臭装置。
【請求項７】
ファン装置と、
前記ファン装置に一端部が接続され、他端部が開放される筒状体と
から成り、
前記筒状体は、一方向に向かって拡径する複数の筒状体本体と、前記筒状体本体の内壁面に設けた吸着剤とを備え、
前記筒状体は、順次拡径するそれぞれ外径の異なる前記複数の筒状体本体を抜け落ちないように連結することによって構成されている
ことを特徴とする脱臭装置。
【請求項８】
請求項１乃至請求項７の何れか記載の脱臭装置において、
前記ファン装置は、換気ファンまたは空調機である
ことを特徴とする脱臭装置。
【請求項９】
請求項１乃至請求項８の何れか記載の脱臭装置において、
前記コイルばねは、ワイヤーまたはパイプで構成されている
ことを特徴とする脱臭装置。
【発明の詳細な説明】
【０００１】
【発明の属する技術分野】
本発明は、室内臭気環境の改善を行う脱臭装置に関する。
臭気の発生が顕著である室内環境（例えば、食品倉庫、厨房、冷蔵倉庫、食品工場、建設現場など）において、環境改善や建物性能を確保することを目的として、室内環境下での臭気を消臭、脱臭することが必要となる。
【０００２】
【従来の技術】
従来、室内の脱臭方法は、以下の方法が挙げられる。
１）脱臭剤を家具または内装材に設置する方法
壁、床等の面積を広くとれる内装面に活性炭等の脱臭剤を添加し、そこに接触する空気の脱臭を図る。
【０００３】
また、カーテンや収納庫等に設置する場合もある。
２）空調機及び送風機等の循環系に設置する方法
室内の空気を強制的に空調機や送風機に取り込み、その中に設置されている活性炭等の脱臭フィルタに吸着させ、脱臭を図る。
【０００４】
【発明が解決しようとする課題】
しかし、脱臭剤を家具または内装材に設置する方法では、空気の接触効率が悪いため、速効性に欠ける。そのため接触面積を大きく取ることが必要となる。
【０００５】
また、空調機及び送風機等の循環系に設置する方法では、室内に事前に設置されている空調機や送風機の位置により、脱臭性能は限定され、空気の循環が悪い場所での脱臭性能は低下する。空調機や送風機の大きさにより、脱臭剤の設置容量が限定される。また、ファンの静圧等の能力に応じても限定される。
本発明は、斯かる従来の問題点を解決するために為されたもので、その目的は、簡易に、またはフレキシブルに脱臭を図り、室内臭気環境の改善を行うことができる脱臭装置を提供することにある。
【０００６】
【課題を解決するための手段】
請求項１に係る発明は、ファン装置と、前記ファン装置に一端部が接続され、他端部が蓋部材によって閉塞される筒状体とから成り、前記筒状体は、一方向に向かって拡径するコイルばねの両端にフランジを取り付けた伸縮可能な複数の筒状体本体と、前記筒状体本体の前記コイルばねに巻き付けられる通気性を有する脱臭シートとを備え、前記筒状体は、前記蓋部材に向かって拡径するようにそれぞれ外径の異なる前記複数の筒状体本体を連結することによって構成されていることを特徴とする。
請求項２に係る発明は、ファン装置と、前記ファン装置に一端部が接続され、他端部が蓋部材によって閉塞される筒状体とから成り、前記筒状体は、一方向に向かって拡径するコイルばねの両端にフランジを取り付けた伸縮可能な複数の筒状体本体と、前記筒状体本体の前記コイルばねを覆う通気性を有する脱臭シートから成る筒状の脱臭体とを備え、前記筒状体は、前記蓋部材に向かって拡径するようにそれぞれ外径の異なる前記複数の筒状体本体を連結することによって構成されていることを特徴とする。
【０００７】
請求項３に係る発明は、ファン装置と、前記ファン装置に一端部が接続され、他端部が蓋部材によって閉塞される筒状体とから成り、前記筒状体は、一方向に向かって縮径するコイルばねの両端にフランジを取り付けた伸縮可能な複数の筒状体本体と、前記筒状体本体の前記コイルばねに巻き付けられる通気性を有する脱臭シートとを備え、前記筒状体は、前記蓋部材に向かって縮径するようにそれぞれ外径の異なる前記複数の筒状体本体を連結することによって構成されていることを特徴とする。
【０００８】
請求項４に係る発明は、ファン装置と、前記ファン装置に一端部が接続され、他端部が蓋部材によって閉塞される筒状体とから成り、前記筒状体は、一方向に向かって縮径するコイルばねの両端にフランジを取り付けた伸縮可能な複数の筒状体本体と、前記筒状体本体の前記コイルばねを覆う通気性を有する脱臭シートから成る筒状の脱臭体とを備え、前記筒状体は、前記蓋部材に向かって縮径するようにそれぞれ外径の異なる前記複数の筒状体本体を連結することによって構成されていることを特徴とする。
請求項５に係る発明は、ファン装置と、前記ファン装置に一端部が接続され、他端部が蓋部材によって閉塞される筒状体とから成り、前記筒状体は、外径の異なるコイルばねの両端にフランジを取り付けた伸縮可能な複数の筒状体本体と、前記筒状体本体の前記コイルばねに巻き付けられる通気性を有する脱臭シートとを備え、前記筒状体は、それぞれ外径の異なる前記複数の筒状体本体を連結することによって構成されていることを特徴とする。
【０００９】
請求項６に係る発明は、ファン装置と、前記ファン装置に一端部が接続され、他端部が蓋部材によって閉塞される筒状体とから成り、前記筒状体は、外径の異なるコイルばねの両端にフランジを取り付けた伸縮可能な複数の筒状体本体と、前記筒状体本体の前記コイルばねを覆う通気性を有する脱臭シートから成る筒状の脱臭体とを備え、前記筒状体は、それぞれ外径の異なる前記複数の筒状体本体を連結することによって構成されていることを特徴とする。
請求項７に係る発明は、ファン装置と、前記ファン装置に一端部が接続され、他端部が開放される筒状体とから成り、前記筒状体は、一方向に向かって拡径する複数の筒状体本体と、前記筒状体本体の内壁面に設けた吸着剤とを備え、前記筒状体は、順次拡径するそれぞれ外径の異なる前記複数の筒状体本体を抜け落ちないように連結することによって構成されていることを特徴とする。
【００１０】
請求項８に係る発明は、請求項１乃至請求項７の何れか記載の脱臭装置において、前記ファン装置は、換気ファンまたは空調機であることを特徴とする。
請求項９に係る発明は、請求項１乃至請求項８の何れか記載の脱臭装置において、前記コイルばねは、ワイヤーまたはパイプで構成されていることを特徴とする。
【００１２】
【発明の実施の形態】
以下、本発明を実施形態に基づいて説明する。
【００１３】
図１および図２は、本発明の前提となる実施形態に係る脱臭装置１０を示す。
本発明の前提となる実施形態に係る脱臭装置１０は、換気ファン（ファン装置）１１の吸込み側１１ａに、複数の（本例では、４個）の円筒形状の筒状体本体１４ａ〜１４ｄを連結して成る円筒形状の筒状体１３を取り付けている。
【００１４】
筒状体１３は、筒状壁面を脱臭フィルタ１９で構成されている。
各筒状体本体１４ａ〜１４ｄは、例えば、５ｍ〜１０ｍ程度の長さを有し、ワイヤーをコイル状に巻回したコイルばね１５と、コイルばね１５の両端に取り付けたフランジ１６と、コイルばね１５の外周面とフランジ１６とに巻き付けられた通気性の脱臭シート１７とから成る。
【００１５】
なお、脱臭シート１７は、コイルばね１５を伸ばした状態で、コイルばね１５の外周面とフランジ１６とに巻き付けられ、接着剤、マジックテープ（登録商標）などで固着される。このようにして、脱臭シート１７を固着することによって、脱臭フィルタ１９が形成される。
筒状体本体１４ｄは、筒状体本体１４ｃの反対側の端部（後述するように、吸込み側となる）に蓋部材１８を取り付けている。
【００１６】
筒状体本体１４ａ〜１４ｄは、各フランジ１６を接合し、ボルトナットなどで固定することによって所定長の筒状体１３とされる。
脱臭シート１７としては、例えば活性炭シートがある。
本発明の前提となる実施形態に係る脱臭装置１０は、搬入、搬出時に、図２に示すように、各筒状体本体１４ａ〜１４ｄを長軸方向に押圧してコイルばね１５を圧縮することによってコンパクトに収納できるようになっている。
【００１７】
そして、本発明の前提となる実施形態に係る脱臭装置１０は、室内気環境の改善を行う場所に図２の状態で搬入される。
次に、脱臭する現地にて、図１に示すように、コイルばね１５を伸ばして配設される。
この状態で、換気ファン１１を作動させると、設置された場所の空気が、矢印で示すように、各体本体１４ａ〜１４ｄの外周面に配された脱臭シート１７を介して筒状体１３内に吸い込まれる。吸い込まれた空気は、臭気シート１７を通過するときおよび筒状体１３内を通過するときに、脱臭される。
【００１８】
したがって、換気ファン１１の吐出口１１ｂから吹き出される時には、臭気が除かれた空気として設置場所へ戻される。
この作業を繰り返すことによって、空気が本発明の前提となる実施形態に係る脱臭装置１０に取り込まれる空気の循環が起こり、確実に室内の環境改善が行われる。
ここで、筒状体１３は、床置きまたは天井吊り下げなど各種の設置方法が可能である。
【００１９】
これにより、室内の新鮮空気の行き渡らない袋小路や、滞留域の換気、脱臭を行える。
室内密閉状態においても、筒状体１３と換気ファン１１を用いて室内空気を循環させることによって室内臭気の脱臭が可能となる。また、フランジ１６などにキャスターを付ければ移設がより容易となる。
【００２０】
以上のように本発明の前提となる実施形態によれば、筒状体１３の全面が脱臭フィルタ１９を構成しているため、脱臭の際の換気ファン１１の圧力損失が少ない。
また、ホテル、マンションなど小部屋が多い場合においても、筒状体本体１４ｄから蓋部材１８を取り外し、新たに必要数の別の筒状体本材（１４ａなど）を接合し延長することにより、空気が滞留する場所周辺の臭気まで脱臭が可能となる。
【００２１】
さらに、脱臭シート１７は、活性炭シートにより構成されているので、天日（紫外線）により再生可能（９５％）である。また、低コストである。
また、各筒状体本体１４ａ〜１４ｄにおける脱臭シート１７の活性炭の充填率を変えることによって、より効率的な脱臭が可能になるとともに円筒体１３の長さ方向に対して均一な吹込み風速となるように調整することもできる。この場合、例えば、筒状体本体１４ａの活性炭の充填率を大、筒状体本体１４ｂ、１４ｃの活性炭の充填率を中、筒状体本体１４ｄの活性炭の充填率を小とする。
【００２２】
また、活性炭の充填率で圧力を調整する方法に代えて脱臭シート１７の繊維の開口率を調整しても良い。
なお、上記本発明の前提となる実施形態では、筒状体１３として、円筒形状について説明したが、角断面形状であっても良い。
また、脱臭シート１７は、コイルばね１５側に巻回した後、固着して脱臭シート層を形成したものとして説明したが、例えば、脱臭シートを予め袋状または筒状に成形しておき、その袋状または筒状の脱臭シートにコイルばね１５を挿入した後、固着して脱臭シート層を形成しても良い。
【００２３】
図３ないし図５は、本発明の別の前提となる実施形態に係る脱臭装置２０を示す。
本発明の別の前提となる実施形態に係る脱臭装置２０は、コイルばね２５が、ワイヤに代えてパイプによって形成されている点で、本発明の前提となる実施形態に係る脱臭装置１０と相違する。
その他の構成は、本発明の前提となる実施形態に係る脱臭装置１０と同様であるため、同一の符号を付し、その説明を省略した。
【００２４】
また、筒状体２３を構成する各筒状体本体２４ａ〜２４ｄにおける脱臭シート１７の活性炭の充填率は、例えば、筒状体本体２４ａの活性炭の充填率を大、筒状体本体２４ｂ，２４ｃの活性炭の充填率を中、筒状体本体２４ｄの活性炭の充填率を小とする。
本発明の別の実施形態においても、本発明の前提となる実施形態に係る脱臭装置１０と同様の作用効果を奏することができる。
【００２５】
図６および図７は、本発明の第一実施形態に係る脱臭装置３０を示す。
本実施形態に係る脱臭装置３０は、筒状体３３が、蓋部材３８に向かって拡径するように、それぞれが拡径する複数（本例では、３個）の筒状体本体３４ａ，３４ｂ，３４ｃを連結することによって構成されている。
【００２６】
その他の構成は、本発明の前提となる実施形態に係る脱臭装置１０と同様である。
また、各筒状体本体３４ａ〜３４ｃにおける脱臭シート１７の活性炭の充填率は、例えば、筒状体本体３４ａの活性炭の充填率を大、筒状体本体３４ｂの活性炭の充填率を中、筒状体本体３４ｃの活性炭の充填率を小とする。
本実施形態においても、本発明の前提となる実施形態に係る脱臭装置１０と同様の作用効果を奏することができる。
【００２７】
なお、換気ファン３１と蓋部材３８とを取り替え最大径部に換気ファン３１を取り付け、最小径部に蓋部材３８を取り付けても良い。
この場合も、各筒状体本体３４ａ〜３４ｃにおける脱臭シート１７の活性炭の充填率は、例えば、換気ファン３１に近い筒状体本体３４ｃの活性炭の充填率を大、筒状体本体３４ｂの活性炭の充填率を中、筒状体本体３４ａの活性炭の充填率を小とする。
【００２８】
図８および図９は、本発明の第二実施形態に係る脱臭装置４０を示す。
本実施形態に係る脱臭装置４０は、筒状体４３が、蓋部材４８に向かって拡径するように、それぞれが外径の異なる複数（本例では、３個）の筒状体本体４４ａ，４４ｂ，４４ｃを連結することによって構成されている。
【００２９】
その他の構成は、本発明の前提となる実施形態に係る脱臭装置１０と同様である。
また、各筒状体本体４４ａ〜４４ｃにおける脱臭シート１７の活性炭の充填率は、例えば、筒状体本体４４ａの活性炭の充填率を大、筒状体本体４４ｂの活性炭の充填率を中、筒状体本体４４ｃの活性炭の充填率を小とする。
【００３０】
本実施形態においては、コイルばね１５の圧縮時に換気ファン４１が筒状体４３内に収容できるので、本発明の前提となる実施形態に係る脱臭装置１０、本発明の別の前提となる実施形態に係る脱臭装置２０および第一実施形態に係る脱臭装置３０に比し、さらにコンパクトになるという利点がある。
また、本実施形態においても、本発明の前提となる実施形態に係る脱臭装置１０と同様の作用効果を奏することができる。
【００３１】
図１０および図１１は、本発明の第三実施形態に係る脱臭装置５０を示す。
本実施形態に係る脱臭装置５０は、筒状体５３が、それぞれが外径の異なる複数（本例では、４個）の筒状体本体５４ａ，５４ｂ，５４ｃ、５４ｄを連結することによって構成されている。
【００３２】
その他の構成は、本発明の前提となる実施形態に係る脱臭装置１０と同様である。
また、各筒状体本体５４ａ〜５４ｄにおける脱臭シート１７の活性炭の充填率は、例えば、筒状体本体５４ａの活性炭の充填率を大、筒状体本体５４ｂ、５４ｃの活性炭の充填率を中、筒状体本体５４ｄの活性炭の充填率を小とする。
本実施形態においても、本発明の前提となる実施形態に係る脱臭装置１０と同様の作用効果を奏することができる。
【００３３】
図１２は、本発明の第四実施形態に係る脱臭装置６０を示す。
本実施形態では、筒状体６３が、１つの筒状体本体６４ａによって構成されている。
そして、筒状体６３が、空調機６１の吹出口６１ａに取り付けられている。
【００３４】
この実施形態に係る脱臭装置６０によれば、天井１００に設けた吸込口１０１から室内空気が天井チャンバ１０２に取り込まれ、空調機６１のファンによって臭気を持った空気が筒状体６３内に吹き出される。
この際、吹き出された空気は脱臭シート１７によって臭気が脱臭されて室内へ戻される。
【００３５】
この循環を繰り返すことによって、臭気を持った室内空気が脱臭され、確実に室内の環境改善が行われる。
本実施形態に係る脱臭装置６０は、第一実施形態に係る脱臭装置３０，第二実施形態に係る脱臭装置４０，第三実施形態に係る脱臭装置５０に開示した筒状体であれば任意に取り替えることが可能である。
【００３６】
図１３および図１４は、本発明の第五実施形態に係る脱臭装置７０を示す。
実施形態に係る脱臭装置７０では、筒状体７３が、内壁面に吸着剤を設けた順次拡径する３個の筒状体本体７４ａ，７４ｂ，７４ｃを、抜け落ちないように、先端に向かって拡径するように取り付けてある。
【００３７】
そして、本実施形態に係る脱臭装置７０では、筒状体７３の先端部を開放している。
本実施形態に係る脱臭装置７０では、換気ファン１１を作動すると、筒状体７３の先端部の開口部から臭気を伴った空気を吸い込み、吸い込んだ空気を筒状体の内壁面に設けられた吸着剤層に接触させて脱臭することができる。
【００３８】
図１４は、換気ファン１１に代えて空調機７１に筒状体７３の端部を取り付けた例を示す。
したがって、図１２に示す実施形態と同様に室内空気の脱臭を行うことができる。
【００３９】
そして、本発明の前提となる実施形態に係る脱臭装置１０，本発明の別の前提となる実施形態に係る脱臭装置２０，第一実施形態に係る脱臭装置３０，第二実施形態に係る脱臭装置４０，第三実施形態に係る脱臭装置５０、第四実施形態に係る脱臭装置６０の場合と異なり、蓋部材が存在しない。
すなわち、本実施形態に係る脱臭装置７０では、脱臭シート１５を通過させることによって脱臭を行うのではなく、空調機７１から吹き出される臭気を持った空気を筒状体７３の内壁面に接触させることによって脱臭する点で、脱臭装置１０〜６０と相違する。
【００４０】
図１５は、本発明の第六実施形態に係る脱臭装置８０を示す。
本実施形態に係る脱臭装置８０は、扇風機８１と、この扇風機８１のファンカバー８２に取り付けられる脱臭シート８３とで構成されている。
本実施形態に係る脱臭装置８０では、脱臭シート８３をクリップ、マジックテープ（登録商標）、粘着テープなどにより、扇風機８１の吹出側に位置するファンカバー８２を覆うように取り付けている。
【００４１】
本実施形態に係る脱臭装置８０では、扇風機８１を作動すると、室内空気を吸い込み、ファンカバー８２に向かって吹き出す。この際、室内空気に含まれている臭気が脱臭シート８３を通過し、脱臭される。
【００４４】
【発明の効果】
以上のように、請求項１ないし請求項９の発明によれば、筒状体が筒状壁面の全面に脱臭フィルタを形成しているため、脱臭の際の、ファンの圧力損失が少ない。
また、筒状体を接合し延長することができるので、空気が滞留する場所周辺の臭気まで脱臭が可能となる。
【００４５】
さらに、活性炭シートによる脱臭のため、シートは天日により再生可能である。また、低コストである。
【図面の簡単な説明】
【図１】  本発明の前提となる実施形態に係る脱臭装置１０の使用状態を示す側面図である。
【図２】  本発明の前提となる実施形態に係る脱臭装置１０の収縮状態を示す側面図である。
【図３】  本発明の別の前提となる実施形態に係る脱臭装置２０の使用状態を示す側面図である。
【図４】  本発明の別の前提となる実施形態に係る脱臭装置２０の収縮状態を示す側面図である。
【図５】  本発明の別の前提となる実施形態に係る脱臭装置２０におけるパイプ状のコイルばねを示す斜視図である。
【図６】  本発明の第一実施形態に係る脱臭装置３０の使用状態を示す側面図である。
【図７】  本発明の第一実施形態に係る脱臭装置３０の収縮状態を示す側面図である。
【図８】  本発明の第二実施形態に係る脱臭装置４０の使用状態を示す側面図である。
【図９】  本発明の第二実施形態に係る脱臭装置４０の収縮状態を示す側面図である。
【図１０】  本発明の第三実施形態に係る脱臭装置５０の使用状態を示す側面図である。
【図１１】  本発明の第三実施形態に係る脱臭装置５０の収縮状態を示す側面図である。
【図１２】  本発明の第四実施形態に係る脱臭装置６０の使用状態を示す断面図である。
【図１３】  本発明の第五実施形態に係る脱臭装置７０の使用状態を示す側面図である。
【図１４】  本発明の第五実施形態に係る脱臭装置７０の使用状態を示す断面図である。
【図１５】  本発明の第六実施形態に係る脱臭装置８０の使用状態を示す側面図である。
【符号の説明】
１０，２０，３０，４０，５０，６０，７０，８０  脱臭装置
１１  換気ファン（ファン装置）
１１ａ  換気ファン（ファン装置）１１の吸込み側
１３  筒状体
１４ａ，１４ｂ，１４ｃ，１４ｄ  筒状体本体
１５  コイルばね
１６  フランジ
１７  脱臭シート
１９  脱臭フィルタ
【図１】
0004833392.tif 000002
【図２】
0004833392.tif 000003
【図３】
0004833392.tif 000004
【図４】
0004833392.tif 000005
【図５】
0004833392.tif 000006
【図６】
0004833392.tif 000007
【図７】
0004833392.tif 000008
【図８】
0004833392.tif 000009
【図９】
0004833392.tif 000010
【図１０】
0004833392.tif 000011
【図１１】
0004833392.tif 000012
【図１２】
0004833392.tif 000013
【図１３】
0004833392.tif 000014
【図１４】
0004833392.tif 000015
【図１５】
0004833392.tif 000016